(57)【要約】【課題】レベルの低いバーストノイズでも、それを有効に検出することができるラジオ受信機を提供する。【解決手段】アンテナ１で受信した信号を増幅するノイズ増幅器９と、ノイズ増幅器９の出力信号が任意の値よりも大きくなった場合にノイズ検出信号を出力するノイズ検出器１０とを設け、ノイズ検出信号に応答してスイッチ６を遮断する。これによって、ＲＦ増幅器２の帯域特性の影響を受けることなく、バーストノイズの主成分を検出することが可能で、バーストノイズに対する検出感度を改善し、良好なノイズ抑圧効果を得ることができる。【選択図】　　　　図１
2004032045.tif 000002
【特許請求の範囲】
【請求項１】
放送信号を受信するアンテナと、前記アンテナで受信した信号を増幅するノイズ増幅器と、前記ノイズ増幅器の出力信号のレベルが所定のノイズレベルよりも大きくなったときにノイズ検出信号を出力するノイズ検出器とを備えたラジオ受信機。
【請求項２】
アンテナで受信した信号から放送信号の周波数帯域を遮断しノイズの周波数帯域を通過させるフィルタをノイズ増幅器の入力側に設けた請求項１記載のラジオ受信機。
【請求項３】
フィルタがハイパスフィルタである請求項２記載のラジオ受信機。
【請求項４】
フィルタがバンドパスフィルタである請求項２記載のラジオ受信機。
【請求項５】
ノイズ増幅器の平均出力レベルが所定レベルよりも大きくなったときにゲイン制御信号を出力する自動利得制御器を設け、前記ゲイン制御信号に応じて前記ノイズ増幅器のゲインを変化させることにより、前記ノイズ増幅器の平均出力レベルを前記所定レベル以下に制限するようにした請求項１、２、３または４記載のラジオ受信機。
【請求項６】
ノイズ検出信号に応答して放送信号の信号経路を遮断するスイッチを設けた請求項１、２、３または４記載のラジオ受信機。
【請求項７】
スイッチは中間周波フィルタと中間周波増幅器との間に設けられている請求項６記載のラジオ受信機。
【発明の詳細な説明】
【０００１】
【発明の属する技術分野】
本発明は、２ＭＨｚ〜５０ＭＨｚ帯に多く分布している、エンジンノイズまたは各種電装品等から発生するノイズ等のバーストノイズによる妨害を防止した車載用などのラジオ受信機に関するものである。
【０００２】
【従来の技術】
図９は従来のＡＭラジオ受信機の構成を示すブロック図である。このＡＭラジオ受信機は、図９に示すように、アンテナ１と、ＲＦ増幅器（ＲＦ−Ａｍｐ）２と、混合器（Ｍｉｘ）３と、局部発振器（ＯＳＣ）４と、中間周波フィルタ（ＩＦ−ｆｉｌｔｅｒ）５と、スイッチ６と、中間周波増幅器（ＩＦ−Ａｍｐ）７と、ＡＭ検波器（ＡＭ−Ｄｅｔ）８と、ノイズ増幅器（Ｎｏｉｓｅ　Ａｍｐ）９と、ノイズ検出器（Ｎｏｉｓｅ　Ｄｅｔ）１０とで構成される。
【０００３】
図１０は、ノイズ増幅器９と、ノイズ検出器１０と、スイッチ６との構成例を示す回路図である。
【０００４】
ノイズ増幅器９は、混合器３の出力が入力される直流カット用コンデンサ９０１と、入力バイアス電圧源９０４と、バイアス用抵抗９０３と、差動回路を構成するＮＰＮトランジスタ９０５，９０６と、負荷抵抗９０７と、電流源９０２とで構成される。
【０００５】
ノイズ検出器１０は、ノイズ増幅器９の出力が入力される直流カット用コンデンサ１００と、入力バイアス電圧源１０１と、バイアス用抵抗１０２と、ピーク検波用ＮＰＮトランジスタ１０３と、ピーク検波用コンデンサ１０４と、電流源１０５と、コンパレータ用ＮＰＮトランジスタ１０８，１０９と、比較電圧源１０７と、電流源１０６とで構成されている。
【０００６】
そして、比較電圧源１０７の電圧値は、入力バイアス電圧源１０１の電圧値からＮＰＮトランジスタ１０３のベース・エミッタ間電圧ＶＢＥを引いた値よりも高い電圧に設定され、ＮＰＮトランジスタ１０９のコレクタが出力となるように構成されている。
【０００７】
スイッチ６は、中間周波フィルタ５の出力が入力される直流カット用コンデンサ６０１と、入力バイアス電圧源６０３と、バイアス用抵抗６０２と、差動回路を構成するＮＰＮトランジスタ６０４，６０５と、負荷抵抗６０６と、直流パス用インダクタ６０７とで構成されている。そして、ＮＰＮトランジスタ６０４，６０５のエミッタはノイズ検出器１０の出力、つまりＮＰＮトランジスタ１０９のコレクタに接続される。
【０００８】
図１１はＲＦ増幅器２の周波数特性の一例を示す周波数特性図であり、中心周波数ｆＣは希望周波数と等しくなるように設定され、帯域幅は１００ｋＨｚに設定されている。
【０００９】
以上のように構成された従来のＡＭラジオ受信機の動作について説明する。図９において、アンテナ１で受信した放送局からの放送信号は、ＲＦ増幅器２で増幅され、混合器３で局部発振器４からの局部発振信号と混合されて中間周波信号に変換される。中間周波信号は、中間周波フィルタ５で帯域制限され、スイッチ６を介して中間周波増幅器７で増幅された後、ＡＭ検波器８でＡＭ復調されて出力される。
【００１０】
ノイズ増幅器９は、混合器３の出力を増幅して出力し、ノイズ検出器１０はノイズ増幅器９の出力レベルをピーク検波して、コンパレータ用ＮＰＮトランジスタ１０８のベース電圧がコンパレータ用ＮＰＮトランジスタ１０９のベース電圧よりも高い場合にはＮＰＮトランジスタ１０９のコレクタ電流が出力されなくなる。このコレクタ電流が出力されなくなることが、ノイズ検出信号の発生に相当する。
【００１１】
スイッチ６は、ノイズ検出器１０から電流出力がある場合には中間周波フィルタ５の出力を通過させて出力し、ノイズ検出器１０から電流出力が無い場合には中間周波フィルタ５の出力を遮断する。
【００１２】
従来のＡＭラジオ受信機において、バーストノイズがアンテナ１から入力された場合の動作について説明する。
【００１３】
図１２はバーストノイズがアンテナ１から入力された場合のＡＭラジオ受信機の各部の波形を示す波形図である。同図において、１２ａはアンテナ１の入力波形、１２ｂはＲＦ増幅器２の出力波形、１２ｃは混合器３の出力波形、１２ｄはノイズ増幅器９の出力波形、１２ｅはノイズ検出器１０のＮＰＮトランジスタ１０８のベース電圧波形、１２ｆはノイズ検出器１０のＮＰＮトランジスタ１０９のベース電圧波形、１２ｇはノイズ検出器１０の出力波形、１２ｈは中間周波フィルタ５の出力波形、１２ｉはスイッチ６の出力波形をそれぞれ示している。
【００１４】
従来のＡＭラジオ受信機では、アンテナ１から入力されたバーストノイズ（図１２の波形１２ａ）は、ＲＦ増幅器２で帯域制限されて増幅され（図１２の波形１２ｂ）、混合器３で周波数変換された（図１２の波形１２ｃ）後、ノイズ増幅器９で増幅され（図１２の波形１２ｄ）、ノイズ検出器１０に入力される。ノイズ検出器１０は、入力された信号をピーク検波し（図１２の波形１２ｅ）、ＮＰＮトランジスタ１０８，１０９で構成される比較器で比較電圧（図１２の波形１２ｆ）と比較し、比較電圧よりもピーク検波した電圧が高くなった場合に電流信号をカットする（図１２の波形１２ｇ）。スイッチ６は、ノイズ検出器１０の電流出力信号がない間はＯＦＦとなり、中間周波フィルタ５の出力信号（図１２の波形１２ｈ）をカットして出力する（図１２の波形１２ｉ）。
【００１５】
【発明が解決しようとする課題】
図９のように構成される従来のＡＭラジオ受信機では、アンテナ１に入力されるバーストノイズ（図１２の波形１２ａ）は、ＲＦ増幅器２の出力帯域特性により、主に２ＭＨｚ〜５０ＭＨｚの高域に分布しているバーストノイズの成分が減衰する（図１２の波形１２ｂ）ため、バーストノイズに対する検出感度が低下する。そのため、レベルの低いバーストノイズを有効に検出することができなかった。
【００１６】
したがって、本発明の目的は、レベルの低いバーストノイズでも、それを有効に検出することができるラジオ受信機を提供することである。
【００１７】
【課題を解決するための手段】
この課題を解決するために、請求項１記載のラジオ受信機は、放送信号を受信するアンテナと、アンテナで受信した信号を増幅するノイズ増幅器と、ノイズ増幅器の出力信号のレベルが所定のノイズレベルよりも大きくなったときにノイズ検出信号を出力するノイズ検出器とを備えている。
【００１８】
この構成によれば、アンテナで受信した信号をノイズ増幅器で直接増幅するので、主に高域に分布しているバーストノイズの成分を減衰させることなく検出できる。そのため、従来のラジオ受信機に比べノイズ検出感度が改善され、レベルの低いバーストノイズでも、それを有効に検出することができる。
【００１９】
請求項２記載のラジオ受信機は、請求項１記載のラジオ受信機において、アンテナで受信した信号から放送信号の周波数帯域を遮断しノイズの周波数帯域を通過させるフィルタをノイズ増幅器の入力側に設けている。
【００２０】
この構成によれば、ノイズ増幅器の入力側に、放送信号の周波数帯域を遮断しノイズの周波数帯域を通過させるフィルタを設けたので、放送信号が存在する場合に、放送信号をフィルタで減衰させることが可能で、放送信号によるノイズ検出器の誤検出動作を防止することができる。
【００２１】
請求項３記載のラジオ受信機は、請求項２記載のラジオ受信機において、フィルタがハイパスフィルタである。
【００２２】
この構成によれば、請求項２記載のラジオ受信機と同様の作用を有する。
【００２３】
請求項４記載のラジオ受信機は、請求項２記載のラジオ受信機において、フィルタがバンドパスフィルタである。
【００２４】
この構成によれば、請求項２記載のラジオ受信機と同様の作用を有する。
【００２５】
請求項５記載のラジオ受信機は、請求項１、２、３または４記載のラジオ受信機において、ノイズ増幅器の平均出力レベルが所定レベルよりも大きくなったときにゲイン制御信号を出力する自動利得制御器を設け、ゲイン制御信号に応じてノイズ増幅器のゲインを変化させることにより、ノイズ増幅器の平均出力レベルを所定レベル以下に制限するようにしている。
【００２６】
この構成によれば、自動利得制御器を設け、ゲイン制御信号に応じてノイズ増幅器のゲインを変化させることにより、ノイズ増幅器の平均出力レベルを所定レベル以下に制限しているので、請求項１〜４と同様の作用を有する上、ノイズ検出器に入力される放送信号レベルを一定値以下に制御することができ、放送信号によるノイズ検出器の誤検出動作を防止することができる。
【００２７】
請求項６記載のラジオ受信機は、請求項１、２、３または４記載のラジオ受信機において、ノイズ検出信号に応答して放送信号の信号経路を遮断するスイッチを設けている。
【００２８】
この構成によれば、ノイズ検出信号に応答して放送信号の信号経路を遮断するスイッチを設けているので、高レベルのノイズが音として出力されるのを防止することができる。
【００２９】
請求項７記載のラジオ受信機は、請求項６記載のラジオ受信機において、スイッチが中間周波フィルタと中間周波増幅器との間に設けられている。
【００３０】
この構成によれば、請求項６と同様の作用を有する。
【００３１】
【発明の実施の形態】
（第１の実施の形態）
以下、本発明の第１の実施の形態におけるＡＭラジオ受信機について、図１から図２を用いて説明する。
【００３２】
図１は本発明の第１の実施の形態におけるＡＭラジオ受信機の構成を示すブロック図であり、従来例と同一部分には同一符号を用いる。図１において、ＡＭラジオ受信機は、アンテナ１と、ＲＦ増幅器２と、混合器３と、局部発振器４と、中間周波フィルタ５と、スイッチ６と、中間周波増幅器７と、ＡＭ検波器８と、ノイズ増幅器９と、ノイズ検出器１０とで構成される。従来例との違いは、ノイズ増幅器９がアンテナ９の出力信号を直接増幅している点である。
【００３３】
以上のように構成された本発明の第１の実施の形態におけるＡＭラジオ受信機の動作について説明する。図１において、アンテナ１で受信した放送局からの放送信号は、ＲＦ増幅器２で増幅され、混合器３で局部発振器４からの局部発振信号と混合されて中間周波信号に変換される。中間周波信号は、中間周波フィルタ５で帯域制限され、スイッチ６を介して中間周波増幅器７で増幅された後、ＡＭ検波器８でＡＭ復調されて出力される。
【００３４】
ノイズ増幅器９は、従来例のような混合器３の出力信号ではなくアンテナ１から入力された信号を増幅して出力する。
【００３５】
ノイズ検出器１０は、ノイズ増幅器９の出力レベルをピーク検波して、コンパレータ用ＮＰＮトランジスタ１０８のベース電圧がコンパレータ用ＮＰＮトランジスタ１０９のベース電圧（所定のノイズレベルに相当する）よりも高い場合にはＮＰＮトランジスタ１０９のコレクタ電流は出力されなくなる（ノイズ検出信号の出力に相当する）。
【００３６】
スイッチ６は、ノイズ検出器１０から電流出力がある場合には中間周波フィルタ５の出力を通過させて出力し、ノイズ検出器１０から電流出力が無い場合には中間周波フィルタ５の出力を遮断する。つまり、放送信号の信号経路を遮断する。
【００３７】
本発明の第１の実施の形態におけるＡＭラジオ受信機において、バーストノイズがアンテナ１から入力された場合の動作について説明する。
【００３８】
図２はバーストノイズがアンテナ１から入力された場合のＡＭラジオ受信機の各部の波形を示す波形図である。同図において、２ａはアンテナ１の入力波形、２ｂはノイズ増幅器９の出力波形、２ｃはノイズ検出器１０のＮＰＮトランジスタ１０８のベース電圧波形、２ｄはノイズ検出器１０のＮＰＮトランジスタ１０９のベース電圧波形、２ｅはノイズ検出器１０の出力波形、２ｆは中間周波フィルタ５の出力波形、２ｇはスイッチ６の出力波形をそれぞれ示している。なお、図２は、放送が無いか、もしくは微弱な状態においてバーストノイズが入力された状態を示している。
【００３９】
本発明の第１の実施の形態のＡＭラジオ受信機では、アンテナ１から入力されたバーストノイズ（図２の波形２ａ）は、ノイズ増幅器９で増幅され（図２の波形２ｂ）、ノイズ検出器１０に入力される。ノイズ検出器１０は入力された信号をピーク検波し（図２の波形２ｃ）、ＮＰＮトランジスタ１０８，１０９で構成される比較器で比較電圧（図２の波形２ｄ）と比較し、比較電圧よりもピーク検波した電圧が高くなった場合に電流信号をカットする（図２の波形２ｅ）。スイッチ６はノイズ検出器１０の電流出力信号がない間はＯＦＦとなり、中間周波フィルタ５の出力信号（図２の波形２ｆ）をカットして出力する（図２の波形２ｇ）。
【００４０】
この実施の形態のＡＭラジオ受信機によれば、アンテナ１から入力された信号をノイズ増幅器９で直接増幅するので、主に高域に分布しているバーストノイズの成分を減衰させることなく検出できる。そのため、従来のＡＭラジオ受信機に比べノイズ検出感度が改善され、レベルの低いバーストノイズでも、それを有効に検出することができる。
【００４１】
また、ノイズ検出器１０からのノイズ検出信号の出力でスイッチ６を開放することで、放送信号に高レベルのノイズが含まれているときに、ノイズが音として出力されるのを防止することができる。したがって、良好なノイズ抑圧効果を得ることができる。
【００４２】
ここで、放送信号がないか、もしくは微弱な状態でのノイズ検出を行う意味について説明する。放送信号が無い、もしくは微弱な状態では、バーストノイズは大きなノイズとなって検波出力に現れる。通常、このような状態（放送信号が無い）で音声出力を聞くことはまれであるが、放送局をマニュアルで選局する場合や、車載ラジオでトンネルに入った場合などに、このような状態になる。このときにノイズを検出することが有効となる。
【００４３】
なお、放送信号とノイズとの区別は、以下のようにして行う。ノイズ検出器１０は、比較電圧源１０７の電圧値の設定によって、通常の放送信号レベルでは、検出しないように設定される。
【００４４】
（第２の実施の形態）
以下、本発明の第２の実施の形態におけるＡＭラジオ受信機について、図３から図５を用いて説明する。
【００４５】
図３は本発明の第２の実施の形態におけるＡＭラジオ受信機の構成を示すブロック図であり、従来例および第１の実施の形態と同一部分には同一符号を用いる。　図３において、ＡＭラジオ受信機は、アンテナ１と、ＲＦ増幅器２と、混合器３と、局部発振器４と、中間周波フィルタ５と、スイッチ６と、中間周波増幅器７と、ＡＭ検波器８と、ノイズ増幅器９と、ノイズ検出器１０と、フィルタ１１とを含んで構成される。第１の実施の形態との違いは、ノイズ増幅器９の前段にフィルタ１１を設けた点である。
【００４６】
図４は本第２の実施の形態におけるフィルタ１１の特性例を示し、図４の特性４ａはフィルタ１１の第１の特性例（バンドパスフィルタ）を示し、図４の特性４ｂはフィルタ１１の第２の特性例（ハイパスフィルタ）を示している。図４のフィルタ１１の特性は、ともにＡＭ放送信号帯の信号をカットするように設定され、バーストノイズの成分が多く存在する２ＭＨｚ〜５０ＭＨｚ帯が通過帯域となるよう設定される。
【００４７】
以上のように構成された本発明の第２の実施の形態におけるＡＭラジオ受信機の動作について説明する。図３において、アンテナ１で受信した放送局からの放送信号は、ＲＦ増幅器２で増幅され、混合器３で局部発振器４からの局部発振信号と混合されて中間周波信号に変換される。中間周波信号は、中間周波フィルタ５で帯域制限され、スイッチ６を介して中間周波増幅器７で増幅された後、ＡＭ検波器８でＡＭ復調されて出力される。
【００４８】
フィルタ１１は、アンテナ１に入力された信号を図４の特性で帯域制限する。ノイズ増幅器９は、フィルタ１１の出力信号を増幅して出力する。ノイズ検出器１０は、ノイズ増幅器９の出力レベルをピーク検波して、コンパレータ用ＮＰＮトランジスタ１０８のベース電圧がコンパレータ用ＮＰＮトランジスタ１０９のベース電圧よりも高い場合にはＮＰＮトランジスタ１０９のコレクタ電流は出力されなくなる。コレクタ電流が出力されないことが、ノイズ検出信号の出力に相当する。
【００４９】
スイッチ６は、ノイズ検出器１０から電流出力がある場合には中間周波フィルタ５の出力を通過させて出力し、ノイズ検出器１０から電流出力が無い場合には中間周波フィルタ５の出力を遮断する。
【００５０】
本発明の第２の実施の形態におけるＡＭラジオ受信機において、放送信号とバーストノイズがアンテナ１から入力された場合の動作について説明する。
【００５１】
図５はバーストノイズがアンテナ１から入力された場合のＡＭラジオ受信機の各部の波形を示す波形図である。同図において、５ａはアンテナ１の入力波形、５ｂはフィルタ１１の出力波形、５ｃはノイズ増幅器９の出力波形、５ｄはノイズ検出器１０のＮＰＮトランジスタ１０８のベース電圧波形、５ｅはノイズ検出器１０のＮＰＮトランジスタ１０９のベース電圧波形、５ｆはノイズ検出器１０の出力波形、５ｇは中間周波フィルタ５の出力波形、５ｈはスイッチ６の出力波形をそれぞれ示している。
【００５２】
本発明の第２の実施の形態のＡＭラジオ受信機では、アンテナ１から入力された放送信号とバーストノイズ（図５の波形５ａ）は、フィルタ１１で帯域制限されるため、放送信号はバーストノイズよりも減衰されて出力される（図５の波形５ｂ）。フィルタ１１の出力はノイズ増幅器９で増幅され（図５の波形５ｃ）、ノイズ検出器１０に入力される。ノイズ検出器１０は、入力された信号をピーク検波し（図５の波形５ｄ）、ＮＰＮトランジスタ１０８，１０９で構成される比較器で比較電圧（図５の波形５ｅ）と比較し、比較電圧よりもピーク検波した電圧が高くなった場合に電流出力をカットする（図５の波形５ｆ）。スイッチ６は、ノイズ検出器１０の電流出力信号がない間はＯＦＦとなり、中間周波フィルタ５の出力信号（図５の波形５ｇ）をカットして出力する（図５の波形５ｈ）。
【００５３】
この実施の形態によれば、ノイズ増幅器９の入力側に、放送信号の周波数帯域を遮断しノイズの周波数帯域を通過させるフィルタ１１を設けたので、放送信号が存在する場合に、放送信号をフィルタ１１で減衰させることが可能で、放送信号によるノイズ検出器の誤検出動作を防止することができる。その他の効果は、第１の実施の形態と同様である。
【００５４】
（第３の実施の形態）
以下、本発明の第３の実施の形態におけるＡＭラジオ受信機について、図６から図８を用いて説明する。
【００５５】
図６は本発明の第３の実施の形態におけるＡＭラジオ受信機の構成を示すブロック図であり、従来例および第１の実施の形態と同一部分は同一符号を用いる。図６において、ＡＭラジオ受信機は、アンテナ１と、ＲＦ増幅器２と、混合器３と、局部発振器４と、中間周波フィルタ５と、スイッチ６と、中間周波増幅器７と、ＡＭ検波器８と、ノイズ増幅器１２と、ノイズ検出器１０と、自動利得制御器１３とを含んで構成される。第１の実施の形態との違いは、自動利得制御器１３を設けた点である。
【００５６】
図７はノイズ増幅器１２と、自動利得制御器１３との構成例を示す回路図である。
【００５７】
ノイズ増幅器１２は、アンテナ１から入力された信号が与えられる直流カット用コンデンサ１２１と、入力バイアス電圧源１２３と、バイアス用抵抗１２２と、差動回路を構成するＮＰＮトランジスタ１２４，１２５と、負荷抵抗１２６とで構成され、ノイズ増幅器１２の利得はＮＰＮトランジスタ１２４，１２５のエミッタに流れる電流によって制御される。
【００５８】
自動利得制御器１３は、ノイズ増幅器１２の出力信号が入力される直流カット用コンデンサ１３０と、入力バイアス電圧源１３１と、バイアス用抵抗１３２と、ピーク検波用ＮＰＮトランジスタ１３３と、ピーク検波用コンデンサ１３４と、電流源１３５と、ＬＰＦ（ローパスフィルタ）用抵抗１４０と、ＬＰＦ用コンデンサ１４１と、コンパレータ用ＮＰＮトランジスタ１３８，１３９と、比較電圧源１３７と、電流源１３６とで構成されている。
【００５９】
そして、比較電圧源１３７の電圧値は、入力バイアス電圧源１３１の電圧値からＮＰＮトランジスタ１３３のベース・エミッタ間電圧ＶＢＥを引いた値よりも高い電圧に設定され、ＮＰＮトランジスタ１３９のコレクタが出力となるように構成される。ＮＰＮトランジスタ１３９のコレクタ出力がゲイン制御信号に相当し、このゲイン制御信号に応じてノイズ増幅器１２のゲインを変化させることにより、ノイズ増幅器１２の平均出力レベルを所定レベル以下に制限するようにしている。
【００６０】
自動利得制御器１３は、ＮＰＮトランジスタ１３９のコレクタ電流によってノイズ増幅器１２の利得を制御し、ノイズ増幅器１２の出力レベルが一定レベル以下になるように制御を行う。
【００６１】
以上のように構成された本発明の第３の実施の形態におけるＡＭラジオ受信機の動作について説明する。
【００６２】
図６において、アンテナ１で受信した放送局からの放送信号は、ＲＦ増幅器２で増幅され、混合器３で局部発振器４からの局部発振信号と混合されて中間周波信号に変換される。中間周波信号は中間周波フィルタ５で帯域制限され、スイッチ６を介して中間周波増幅器７で増幅された後、ＡＭ検波器８でＡＭ復調されて出力される。
【００６３】
ノイズ増幅器１２は、アンテナ１に入力された信号を増幅して出力する。ノイズ検出器１０は、ノイズ増幅器１２の出力レベルをピーク検波して、コンパレータ用ＮＰＮトランジスタ１０８のベース電圧がコンパレータ用ＮＰＮトランジスタ１０９のベース電圧よりも高い場合にはＮＰＮトランジスタ１０９のコレクタ電流は出力されなくなる。コレクタ電流が出力されなくなることが、ノイズ検出信号の出力に相当する。
【００６４】
スイッチ６は、ノイズ検出器１０から電流出力がある場合には中間周波フィルタ５の出力を通過させて出力し、ノイズ検出器１０から電流出力が無い場合には中間周波フィルタ５の出力を遮断する。
【００６５】
自動利得制御器１３は、ノイズ増幅器１２の出力レベルを検出し、ノイズ増幅器１２の出力レベルが一定値以下になるようにノイズ増幅器１２の利得を制御する。
【００６６】
本発明の第３の実施の形態におけるＡＭラジオ受信機において、放送信号とバーストノイズがアンテナ１から入力された場合の動作について説明する。
【００６７】
図８はバーストノイズがアンテナ１から入力された場合のＡＭラジオ受信機の各部の波形を示す波形図である。同図において、８ａはアンテナ１の入力波形、８ｂはノイズ増幅器１２の出力波形、８ｃは自動利得制御器１３のＮＰＮトランジスタ１３３のエミッタ電圧波形、８ｄは自動利得制御器１３のＮＰＮトランジスタ１３８のべース電圧波形、８ｅは自動利得制御器１３のＮＰＮトランジスタ１３９のべース電圧波形、８ｆはノイズ検出器１０のＮＰＮトランジスタ１０８のベース電圧波形、８ｇはノイズ検出器１０のＮＰＮトランジスタ１０９のベース電圧波形、８ｈはノイズ検出器１０の出力波形、８ｉは中間周波フィルタ５の出力波形、８ｊはスイッチ６の出力波形をそれぞれ示している。
【００６８】
この実施の形態のＡＭラジオ受信機では、アンテナ１から入力された放送信号とバーストノイズ（図８の波形８ａ）は、ノイズ増幅器１２で増幅され（図８の波形８ｂ）、ノイズ検出器１０と自動利得制御器１３とに入力される。自動利得制御器１３は、入力された信号レベルをピーク検波した（図８の波形８ｃ）後、ＬＰＦを通過してＮＰＮトランジスタ１３８，１３９で構成される差動回路で比較電圧と比較し、比較電圧（図８の波形８ｅ）よりもＬＰＦを通過した電圧（図８の波形８ｄ）のほうが高い場合には出力電流値を低下させる。
【００６９】
ノイズ増幅器１２は、自動利得制御器１３の電流出力により利得が制御されるため、ノイズ増幅器１２の出力レベルは自動利得制御器１３のＮＰＮトランジスタ１３８，１３９のベース電圧がほぼ等しくなるように制御される。
【００７０】
ノイズ検出器１０は、ノイズ増幅器１２の出力信号をピーク検波し（図８の波形８ｆ）、ＮＰＮトランジスタ１０８，１０９で構成される比較器で比較電圧（図８の波形８ｇ）と比較し、比較電圧よりもピーク検波した電圧が高くなった場合に電流信号をカットする（図８の波形８ｈ）。スイッチ６は、ノイズ検出器１０の電流出力信号がない間はスイッチ６をＯＦＦとし、中間周波フィルタ５の出力信号（図８の波形８ｉ）をカットして出力する（図８の波形８ｊ）。
【００７１】
この実施の形態のＡＭラジオ受信機によれば、第１の実施の形態と同様の効果を奏する上、ノイズ検出器１０に入力される放送信号レベルを一定値以下に制御することができ、放送信号によるノイズ検出器の誤検出動作を防止することができる。
【００７２】
なお、上記実施の形態では、ノイズ増幅器１２の前段にはフィルタは設けられていなかったが、第２の実施の形態のように、フィルタ１１を設けたＡＭラジオ受信機においても、本実施の形態と同様に自動利得制御器を設けて、ノイズ増幅器の出力レベルが一定値以下になるようにノイズ増幅器の利得を制御してもよい。
【００７３】
【発明の効果】
請求項１記載のラジオ受信機によれば、ノイズ増幅器の入力側に、放送信号の周波数帯域を遮断しノイズの周波数帯域を通過させるフィルタを設けたので、放送信号が存在する場合に、放送信号をフィルタで減衰させることが可能で、放送信号によるノイズ検出器の誤検出動作を防止することができる。
【００７４】
請求項２記載のラジオ受信機によれば、ノイズ増幅器の入力側に、放送信号の周波数帯域を遮断しノイズの周波数帯域を通過させるフィルタを設けたので、放送信号が存在する場合に、放送信号をフィルタで減衰させることが可能で、放送信号によるノイズ検出器の誤検出動作を防止することができる。
【００７５】
請求項３記載のラジオ受信機によれば、請求項１記載のラジオ受信機と同様の効果を奏する。
【００７６】
請求項４記載のラジオ受信機によれば、請求項１記載のラジオ受信機と同様の効果を奏する。
【００７７】
請求項５記載のラジオ受信機によれば、自動利得制御器を設け、ゲイン制御信号に応じてノイズ増幅器のゲインを変化させることにより、ノイズ増幅器の平均出力レベルを所定レベル以下に制限しているので、請求項１〜４と同様の作用を有する上、ノイズ検出器に入力される放送信号レベルを一定値以下に制御することができ、放送信号によるノイズ検出器の誤検出動作を防止することができる。
【００７８】
請求項６記載のラジオ受信機によれば、ノイズ検出信号に応答して放送信号の信号経路を遮断するスイッチを設けているので、高レベルのノイズが音として出力されるのを防止することができる。したがって、良好なノイズ抑圧効果を得ることができる。
【００７９】
請求項７記載のラジオ受信機によれば、請求項６記載のラジオ受信機と同様の効果を奏する。
【図面の簡単な説明】
【図１】本発明の第１の実施の形態のＡＭラジオ受信機の構成を示すブロック図である。
【図２】本発明の第１の実施の形態のＡＭラジオ受信機の各部の波形例を示す波形図である。
【図３】本発明の第２の実施の形態のＡＭラジオ受信機の構成を示すブロック図である。
【図４】本発明の第２の実施の形態のＡＭラジオ受信機におけるフィルタの第１および第２の周波数特性例を示す周波数特性図である。
【図５】本発明の第２の実施の形態のＡＭラジオ受信機の各部の波形例を示す波形図である。
【図６】本発明の第３の実施の形態のＡＭラジオ受信機の構成を示すブロック図である。
【図７】本発明の第３の実施の形態のＡＭラジオ受信機におけるノイズ増幅器と自動利得制御器の構成例を示す回路図である。
【図８】本発明の第３の実施の形態のＡＭラジオ受信機の各部の波形例を示す波形図である。
【図９】従来のＡＭラジオ受信機の構成を示すブロック図である。
【図１０】従来のＡＭラジオ受信機におけるノイズ増幅器とノイズ検出器とスイッチの構成例を示す回路図である。
【図１１】ＲＦ増幅器の周波数特性例を示す周波数特性図である。
【図１２】従来のＡＭラジオ受信機の各部の波形例を示す波形図である。
【符号の説明】
１　　アンテナ
２　　ＲＦ増幅器
３　　混合器
４　　局部発信器
５　　中間周波フィルタ
６　　スイッチ
７　　中間周波増幅器
８　　ＡＭ検波器
９，１２　　ノイズ増幅器
１０　　ノイズ検出器
１１　　フィルタ
１３　　自動利得制御器
１００　　直流カット用コンデンサ
１０１　　入力バイアス電圧源
１０２　　バイアス用抵抗
１０３　　ピーク検波用ＮＰＮトランジスタ
１０４　　ピーク検波用コンデンサ
１０５　　電流源
１０６　　電流源
１０７　　比較電圧源
１０８，１０９　　コンパレータ用ＮＰＮトランジスタ
１２１　　直流カット用コンデンサ
１２２　　バイアス用抵抗
１２３　　入力バイアス電圧源
１２４，１２５　　差動増幅回路用ＮＰＮトランジスタ
１２６　　負荷抵抗
１３０　　直流カット用コンデンサ
１３１　　入力バイアス電圧源
１３２　　バイアス用抵抗
１３３　　ピーク検波用ＮＰＮトランジスタ
１３４　　ピーク検波用コンデンサ
１３５　　電流源
１３６　　電流源
１３７　　比較電圧源
１３８，１３９　　コンパレータ用ＮＰＮトランジスタ
１４０　　ＬＰＦ用抵抗
１４１　　ＬＰＦ用コンデンサ
６０１　　直流カット用コンデンサ
６０２　　バイアス用抵抗
６０３　　入力バイアス電圧源
６０４，６０５　　差動回路用ＮＰＮトランジスタ
６０６　　負荷抵抗
６０７　　直流パス用インダクタ
９０１　　直流カット用コンデンサ
９０２　　電流源
９０３　　バイアス用抵抗
９０４　　入力バイアス電圧源
９０５，９０６　　差動増幅回路用ＮＰＮトランジスタ
９０７　　負荷抵抗
【図１】
2004032045.tif 000003
【図２】
2004032045.tif 000004
【図３】
2004032045.tif 000005
【図４】
2004032045.tif 000006
【図５】
2004032045.tif 000007
【図６】
2004032045.tif 000008
【図７】
2004032045.tif 000009
【図８】
2004032045.tif 000010
【図９】
2004032045.tif 000011
【図１０】
2004032045.tif 000012
【図１１】
2004032045.tif 000013
【図１２】
2004032045.tif 000014